(57)【要約】【課題】十分量の媒体を、再現性よく供給するための、抽出カートリッジ用の媒体供給部材、抽出カートリッジセット、及び抽出カートリッジへの媒体供給方法を提供する。【解決手段】本発明における抽出カートリッジ用の媒体供給部材は、媒体を保持可能な第１媒体保持部材を収容し、被験者の皮膚に第１媒体保持部材を接触させるための接触孔を有する保持部材収容部を備えた抽出カートリッジ用の媒体供給部材であって、基材と、基材上に保持され、媒体供給時に保持部材収容部の接触孔と対向する領域に、開口を有する第２媒体保持部材とを備える【選択図】図１８
2008298648.tif 000002
【特許請求の範囲】
【請求項１】
媒体を保持可能な第１媒体保持部材を収容し、被験者の皮膚に第１媒体保持部材を接触させるための接触孔を有する保持部材収容部を備えた抽出カートリッジ用の媒体供給部材であって、
基材と、
基材上に保持され、媒体供給時に保持部材収容部の接触孔と対向する領域に、開口を有する第２媒体保持部材と、を備える媒体供給部材。
【請求項２】
第２媒体保持部材の開口が、接触孔より大きい、請求項１に記載の媒体供給部材。
【請求項３】
第２媒体保持部材を被覆し、接触孔と対向する領域に媒体供給孔を有する被覆部材をさらに備える、請求項１又は２に記載の媒体供給部材。
【請求項４】
第２媒体保持部材の開口が、媒体供給孔より大きい、請求項３に記載の媒体供給部材。
【請求項５】
接触孔が、媒体供給孔より大きい、請求項３又は４に記載の媒体供給部材。
【請求項６】
被覆部材が、第２媒体保持部材の外側で、基材と接合されている、請求項３〜５のいずれか１項に記載の媒体供給部材。
【請求項７】
請求項１〜６に記載の媒体供給部材と、
媒体を保持可能な第１媒体保持部材を収容し、被験者の皮膚に第１媒体保持部材を接触させるための接触孔を有する保持部材収容部を備えた抽出カートリッジと、を備える抽出カートリッジセット。
【請求項８】
第１媒体保持部材と第２媒体供給部材を隔離する隔離部をさらに備える、請求項７に記載の抽出カートリッジセット。
【請求項９】
保持部材収容部と媒体供給部材が、隔離部を挟んで対向するように配置されている、請求項８に記載の抽出カートリッジセット。
【請求項１０】
基材が、第２媒体保持部材を保持する第１領域と、
隔離部を形成する第２領域と、を有する請求項８又は９に記載の抽出カートリッジセット。
【請求項１１】
隔離部が、第１領域と第２領域の間で、第２媒体保持部材を挟むように基材を折り畳むことで形成される、請求項１０に記載の抽出カートリッジセット。
【請求項１２】
基材が、抽出カートリッジを保持する第３領域をさらに有する、請求項１０又は１１に記載の抽出カートリッジセット。
【請求項１３】
抽出カートリッジが、接触孔の周辺を保護する、剥離可能な保護部材をさらに備える、請求項７〜１３のいずれか１項に記載の抽出カートリッジセット。
【請求項１４】
媒体を保持可能な第１媒体保持部材を収容し、被験者の皮膚に第１媒体保持部材を接触させるための接触孔を有する保持部材収容部を備えた抽出カートリッジと、
媒体を保持した第２媒体保持部材を備える媒体供給部材とを用いて、
第１媒体保持部材に媒体を供給する方法であって、
第１媒体保持部材と第２媒体保持部材が接触しないように、媒体供給部材を抽出カートリッジの接触孔を有する面に接触させるステップと、
抽出カートリッジとの接触面とは反対側の媒体供給部材の面を、抽出カートリッジ側に押圧するステップと、を有する方法。
【発明の詳細な説明】
【技術分野】
【０００１】
本発明は、抽出カートリッジ用の媒体供給部材、抽出カートリッジセット、及び抽出カートリッジへの媒体供給方法に関する。
【背景技術】
【０００２】
生体成分測定装置に着脱可能な抽出カートリッジを用いて、被験者から生体成分を抽出し、抽出された生体成分を分析する分析方法が既に知られている（特許文献１）。
【０００３】
上記特許文献１には、被験者からグルコースを抽出し、抽出されたグルコースを分析する血糖値測定装置に装着可能であり、被験者から抽出されるグルコースを保持するための純水を保持可能なメッシュシートを含む抽出カートリッジと、純水を吸収保持可能であり、メッシュシートに所定量の純水を供給するための媒体供給部材とを備えた、抽出カートリッジセットが開示されている。
【特許文献１】特開２００６−２５５３３２号公報
【発明の開示】
【発明が解決しようとする課題】
【０００４】
しかしながら、上記特許文献１に記載の媒体供給部材では、純水がメッシュシートに安定して供給されない場合があった。
【０００５】
すなわち、本発明は、
（１）媒体を保持可能な第１媒体保持部材を収容し、被験者の皮膚に第１媒体保持部材を接触させるための接触孔を有する保持部材収容部を備えた抽出カートリッジ用の媒体供給部材であって、基材と、基材上に保持され、媒体供給時に保持部材収容部の接触孔と対向する領域に、開口を有する第２媒体保持部材と、を備える媒体供給部材；
（２）第２媒体保持部材の開口が、接触孔より大きい、（１）に記載の媒体供給部材；
（３）第２媒体保持部材を被覆し、接触孔と対向する領域に媒体供給孔を有する被覆部材をさらに備える、（１）又は（２）に記載の媒体供給部材；
（４）第２媒体保持部材の開口が、媒体供給孔より大きい、（３）に記載の媒体供給部材；
（５）接触孔が、媒体供給孔より大きい、（３）又は（４）に記載の媒体供給部材；
（６）被覆部材が、第２媒体保持部材の外側で、基材と接合されている、（３）〜（５）のいずれか１に記載の媒体供給部材。
（７）（１）〜（６）に記載の媒体供給部材と、媒体を保持可能な第１媒体保持部材を収容し、被験者の皮膚に第１媒体保持部材を接触させるための接触孔を有する保持部材収容部を備えた抽出カートリッジと、を備える抽出カートリッジセット；
（８）第１媒体保持部材と第２媒体供給部材を隔離する隔離部をさらに備える、（７）に記載の抽出カートリッジセット；
（９）保持部材収容部と媒体供給部材が、隔離部を挟んで対向するように配置されている、（８）に記載の抽出カートリッジセット；
（１０）基材が、第２媒体保持部材を保持する第１領域と、隔離部を形成する第２領域と、を有する（８）又は（９）に記載の抽出カートリッジセット；
（１１）隔離部が、第１領域と第２領域の間で、第２媒体保持部材を挟むように基材を折り畳むことで形成される、（１０）に記載の抽出カートリッジセット；
（１２）基材が、抽出カートリッジを保持する第３領域をさらに有する、（１０）又は（１１）に記載の抽出カートリッジセット；
（１４）抽出カートリッジが、接触孔の周辺を保護する、剥離可能な保護部材をさらに備える、（７）〜（１３）のいずれか１項に記載の抽出カートリッジセット；
（１５）媒体を保持可能な第１媒体保持部材を収容し、被験者の皮膚に第１媒体保持部材を接触させるための接触孔を有する保持部材収容部を備えた抽出カートリッジと、媒体を保持した第２媒体保持部材を備える媒体供給部材とを用いて、第１媒体保持部材に媒体を供給する方法であって、第１媒体保持部材と第２媒体保持部材が接触しないように、媒体供給部材を抽出カートリッジの接触孔を有する面に接触させるステップと、抽出カートリッジとの接触面とは反対側の媒体供給部材の面を、抽出カートリッジ側に押圧するステップと、を有する方法；
を提供するものである。
【発明の効果】
【０００６】
本発明によれば、十分量の媒体を、再現性よく供給するための、抽出カートリッジ用の媒体供給部材、抽出カートリッジセット、及び抽出カートリッジへの媒体供給方法を提供することができる。
【発明を実施するための最良の形態】
【０００７】
（抽出カートリッジ及び抽出カートリッジが着脱可能な血糖値測定装置）
まず、本実施形態の抽出カートリッジ及び抽出カートリッジが着脱可能な血糖値測定装置の一実施形態を図面に基づいて説明する。
【０００８】
本実施形態による血糖値測定装置１００は、生体から生化学成分の一つであるグルコースを抽出するとともに、抽出されたグルコースを分析することにより血糖値を算出する装置である。図１は、血糖値測定装置１００の斜視図である。図２は、抽出カートリッジ５０が装着された、血糖値測定装置１００の斜視図である。図３は、抽出カートリッジ５０が未装着の血糖値測定装置１００を、被験者の腕に装着した状態を示した斜視図である。
【０００９】
この血糖値測定装置１００は、図１および図２に示すように、分析ユニット１０１と、抽出カートリッジ５０（図２参照）とを備えている。分析ユニット１は、抽出カートリッジ５０を着脱可能に保持する装置本体１０２と、装置本体１０２を図中の矢印Ａ及びＢ方向に回動可能に保持する支持部材１０３と、支持部材１０３を被験者の腕に装着しするための装着部材１０４と、乾燥電極２０１とを含んでいる。
【００１０】
装置本体１０２の抽出カートリッジ取付部１０５は、図３に示すように、抽出カートリッジ５０を取り付けるための４つの係合部１０６と、抽出カートリッジ５０を取り付ける際のガイドとして機能する一対のリブ状の突出部１０７と、装置本体１０２の電源部２０２及び電圧計２０５（図４参照）と接続されている一対の端子部１０８を含んでいる。抽出カートリッジ取付部１０５の４つの係合部１０６は、弾性変形可能に設けられることによって、抽出カートリッジ５０を着脱可能に構成されている。尚、後述するが、被験者の皮膚５００において、抽出カートリッジと接触する皮膚は、抽出部位５０１である。また、乾燥電極２０１と接触する皮膚は、抽出部位５０１以外の部位５０２である。
【００１１】
図４は、血糖測定装置１００の構成を示すブロック図である。図４に示すように、この血糖値測定装置１００では、微細孔が形成された被験者の皮膚５００の抽出部位５０１に直流電流を印加することにより抽出部位から組織液を抽出し、その組織液からグルコースセンサによりグルコースの量（グルコース抽出量）を得る。このグルコース抽出量は、微細孔の深さなどにより変化するため、抽出部位５０１に交流電流を印加することにより得られる電気的情報から抽出部位のコンダクタンスを算出して、抽出部位のコンダクタンスにより抽出部位の状態（微細孔の深さなど）をモニタリングする。このように、グルコース抽出量をコンダクタンスの値により補正することにより、グルコースの濃度を精度良く求めることが可能である。組織液に含まれるグルコースの濃度は、血糖値と実質的に等しいので、被験者の血液を採取することなく、被験者の血糖値を測定することが可能である。
【００１２】
この血糖値測定装置１００は、被験者の皮膚５００のうち、抽出部位５０１以外の部位５０２に配置されるＴｉからなる乾燥電極２０１と、交流電流および直流電流を電流制御により印加するための電源部２０２と、半導体レーザとフォトダイオードとから構成されるグルコースセンサ２０３と、電源部２０２およびグルコースセンサ２０３を制御するための制御・解析部２０４と、電圧計２０５と、被験者が血糖値測定装置１００に測定の開始を指示するためのボタンなどからなる入力部２０６と、測定結果などを表示するための表示部２０７とを備えている。また、血糖値測定装置１００には、分析が行われる際に、測定毎に交換可能な抽出カートリッジ５０が取り付けられる。
【００１３】
抽出カートリッジ５０は、アクリルなどの樹脂からなるカートリッジ本体５１と、メッシュシート５２と、メッシュシート５２の上面に配置され、メッシュシート５２に含まれるグルコースと反応する物質が塗布されたセンサ部材５３と、Ａｇ／ＡｇＣｌからなる電極５４と、マスキングテープ５５とを含んでいる。また、マスキングテープ５５には、長さ１ｍｍ、幅７ｍｍ（７ｍｍ２）の接触孔５５ａが設けられている。尚、メッシュシート５２は、センサ部材５３及びマスキングテープ５５の間に形成されるメッシュシート収容部５７に収容されている（図２４参照）。
【００１４】
図５は、本実施形態の抽出カートリッジ５０を接触孔５５ａ側から見た平面図である。図６は、本実施形態の抽出カートリッジ５０をセンサ部材５３側から見た平面図である。
【００１５】
この抽出カートリッジ５０が配置された状態で、センサ部材５３がグルコースセンサ２０３の下部に配置されるとともに、電極５４が、電源部２０２および電圧計２０５と接続されている。
【００１６】
メッシュシート５２は、少なくとも３．０μｌ以上の純水を保持することが可能に構成されている。また、メッシュシート５２は、ナイロン製で、実質的に伸縮性を有さず、厚みが変化しないように構成されている。具体的には、約３０μｍの太さを有するナイロン繊維を編み込んで形成されており、縦横それぞれ約３３μｍの正方形状の網目構造を有する。また、メッシュシート５２は、約４ｍｍの長さ、約１０ｍｍの幅および約５０μｍの厚みを有している。
【００１７】
このメッシュシート５２は、被験者の皮膚５００の抽出部位５０１と対向するように面状に接触される。また、メッシュシート５２の抽出部位５０１と反対側の面上には、センサ部材５３および電極５４が配置されている。
【００１８】
また、センサ部材５３のメッシュシート５２側の面には、グルコースに対する触媒となる酵素（グルコースオキシターゼ）と、過酸化水素（Ｈ２Ｏ２）に対する触媒となる酵素（ペルオキシターゼ）と、活性酸素と反応して発色する発色色素とが塗布されている。なお、発色色素としては、たとえば、Ｎ，Ｎ−ビス（２−ヒドロキシ−３−サルフォプロピル）トリジンジカリウム塩、および、３，３’，５，５’−テトラメチルベンジリデンなどを用いることができる。
【００１９】
また、マスキングテープ５５は、被験者の皮膚５００と電極５４とが直接接触することを防止することにより、電流が皮膚５００に流れることによる被験者の痛みを軽減するために設けられている。マスキングテープ５５は、メッシュシート５２および電極５４の下面に配置されている。また、マスキングテープ５５には、長さ１ｍｍ、幅７ｍｍの接触孔５５ａが設けられている。この接触孔５５ａを介してメッシュシート５２と抽出部位５０１とが接触するように構成されている。
【００２０】
ここで、抽出カートリッジ５０は、図７及び図８に示すように、抽出カートリッジ５０の接触孔５５ａの周辺を保護する、剥離可能な保護部材５６をさらに備えていても良い。
【００２１】
図７は、保護部材５６を剥離する前の、抽出カートリッジ５０の斜視図である。図８は、保護部材５６を一部剥離した状態の、抽出カートリッジ５０の斜視図である。
【００２２】
図７及び図８に示すように、保護部材５６は、抽出カートリッジ５０の接触孔５５ａを有する面に、剥離可能に接着されている。また、保護部材５６は、接触孔５５ａに対応する部位に、開孔５６ａを有している。
【００２３】
後述する、媒体供給部材による、抽出カートリッジのメッシュシートへの純水供給の際、メッシュシートに供給されなかった純水が、接触孔の周辺に付着する場合がある。その際、保護部材５６を剥離することで、接触孔の周辺に付着した純水を、保護部材と共に、抽出カートリッジから取り除くことができる。更に、保護部材５６は、接触孔５５ａに対応する部位に、開孔５６ａを有しているため、メッシュシートへの純水供給が妨げられることはない。
【００２４】
また、血糖値測定装置１００に抽出カートリッジ５０が取り付けられた状態で、電源部２０２は、電極５４および乾燥電極２０１を介して被験者の皮膚５００に電流（直流電流および交流電流）を印加するように構成されている。また、電源部２０２は、電極５４および乾燥電極２０１をそれぞれ陰極および陽極として直流電流を皮膚５００に印加する機能を有する。
【００２５】
また、グルコースセンサ２０３は、センサ部材５３の発色強度等を測定することにより、メッシュシート５２に含まれるグルコースの量を検知している。また、電圧計２０５は、電源部２０２により電極５４および乾燥電極２０１を介して被験者の皮膚５００に電流（交流電流）が印加される際に、乾燥電極２０１と電極５４との間の電圧を測定するように構成されている。また、電圧計２０５により測定された値およびグルコースセンサ２０３により測定されたグルコースの量は、制御・解析部２０４に入力されるように構成されている。
【００２６】
また、制御・解析部２０４は、電圧計２０５から入力された電圧値を用いて抽出部位５０１のインピーダンスを算出し、そのインピーダンスに基づいて抽出部位５０１のコンダクタンスｋを算出する機能を有する。また、制御・解析部２０４は、グルコースセンサ２０３から入力されたメッシュシート５２におけるグルコースの量と、抽出部位５０１のコンダクタンスｋに基づいて、最終的な組織液のグルコース濃度、即ち実質的な血糖値を算出するように構成されている。
【００２７】
図９は、皮膚透過促進処理として被験者の皮膚に微細な抽出孔を形成する際に用いる穿刺具７００を示した斜視図である。図１０は、図９に示した穿刺具７００に取り付けられる微細針チップ８００を示す斜視図である。図１１は、図９に示した穿刺具７００により微細孔が形成された皮膚（抽出部位）の状態を示した断面図である。
【００２８】
穿刺具７００は、滅菌処理された微細針チップ８００（図１０参照）を装着して、その微細針チップ８００の微細針８１０を生体の皮膚（たとえば、人体の皮膚）に当接させることによって、生体の皮膚に体液の抽出孔（微細孔）を形成する装置である。より具体的には、穿刺具７００は、ピストンを付勢するためのバネと、ピストンをバネによって付勢した状態で固定する固定機構を備えている。穿刺具７００を使用する際には、ピストン下部に微細針チップ８００を装着した状態で、穿刺具７００を被験者の皮膚にセットする。その後、ボタン部７１０を押すことにより固定機構を外すと、微細針チップ８００がバネの弾性力によって皮膚に衝突する。これにより、微細孔（図１１参照）が形成される。
【００２９】
図１１に示すように、被験者の皮膚５００の抽出部位５０１に、表皮を貫通し、真皮までは到達するが、皮下組織までは到達しない微細孔（抽出孔）５０１ａが形成されるので、これらの複数の微細孔（抽出孔）５０１ａを介して被験者の皮膚５００から体液を抽出することが可能である。これにより、血糖値測定装置１００を用いて被験者の皮膚５００からグルコースを抽出する際に、被験者が感じる痛みを軽減することが可能である。
【００３０】
図１２は、血糖値測定装置１００の分析動作を説明するためのフローチャートである。
【００３１】
血糖値測定装置１００を用いて血糖値を測定する際には、まず、穿刺具７００（図９参照）を用いて被験者の皮膚５００の抽出部位５０１に、微細な抽出孔５０１ａを形成する。この抽出部位５０１の面積Ｓは、マスキングテープ５５の接触孔５５ａの面積（約７ｍｍ２）である。この穿刺具７００を用いた前処理（皮膚透過促進処理）により形成された皮膚の抽出孔５０１ａには、皮膚の真皮中にもともと溜まっていたグルコースを含む組織液が徐々に滲み出してくる。
【００３２】
また、被験者は、後述する媒体供給部材を使用し、抽出カートリッジ５０のメッシュシート５２に純水を供給する。その後、血糖値測定装置１００に抽出カートリッジ５０（図２参照）を装着する。この時、血糖値測定装置１００においては、図１２のステップＳ１において、抽出カートリッジ５０が装置に装着されたか否かがセンサ（図示せず）により判断される。抽出カートリッジ５０が装置に装着されていない場合には、この判断が繰り返される。また、抽出カートリッジ５０が装置に装着された場合には、ステップＳ２に進む。
【００３３】
その後、被験者は、抽出孔５０１ａが形成された抽出部位５０１とメッシュシート５２とが、接触孔５５ａを介して、面状に接触するように血糖値測定装置１００を被験者の皮膚５００に装着する。このとき、メッシュシート５２に含まれる純水が皮膚５００に形成された抽出孔５０１ａの内部に侵入する。そして、皮膚５００の抽出孔５０１ａに滲み出た組織液とメッシュシート５２からの純水とが混ざり合うことにより、抽出孔５０１ａ内部の組織液がメッシュシート５２に保持された純水中に拡散する。これにより、抽出孔５０１ａの内部の浸透圧が皮膚の真皮の浸透圧に比べて低くなるので、再び、真皮から組織液が抽出孔５０１ａに滲み出す。その結果、電源部２０２から電流が印加される前に、皮膚５００に形成された抽出孔５０１ａを介して滲み出た組織液がメッシュシート５２に保持された純水中にある程度拡散された状態になる。その後、被験者は、血糖値測定装置１００のボタン（入力部２０６）を押すことによって、測定開始の指示を行う。
【００３４】
また、血糖値測定装置１００においては、ステップＳ２において、測定開始の指示があったか否かが判断される。測定開始の指示がない場合には、この判断が繰り返される。また、測定開始の指示があった場合には、ステップＳ３において、電源部２０２は皮膚５００に約８０μＡの直流電流を約１８０秒間印加する。これにより、抽出孔５０１ａに存在する電荷を帯びたイオン成分（Ｎａ＋など）が積極的に移動する。このイオン成分の移動に伴って、グルコースセンサ２０３（図４参照）により検知可能な量のグルコースが、生体からメッシュシート５２に保持された純水中に収集される。また、純水中に収集されたグルコースは、メッシュシート５２の上面に配置されたセンサ部材５３に到達する。
【００３５】
次に、血糖値測定装置１００においては、ステップＳ４において、メッシュシート５２に吸収された純水に抽出されたグルコースの抽出速度（単位時間当たりの抽出量）が測定される。
【００３６】
具体的には、センサ部材５３に到達したグルコースは、グルコースオキシターゼを触媒として反応し、その結果生成される過酸化水素（Ｈ２Ｏ２）がさらにペルオキシターゼを触媒として反応する。その結果、活性酸素が生成される。センサ部材５３に塗布されている発色色素は、活性酸素と反応して発色する。したがって、発色色素は、生体から抽出されたグルコースの量に応じた強度で発色することになる。
【００３７】
一方、グルコースセンサ２０３の半導体レーザから照射されたレーザ光のうち、純水を含んだメッシュシート５２に接触しているセンサ部材５３を通過する光の強度は、生体から抽出されたグルコースの量に応じて発色する発色色素の光の強度によって変化する。
【００３８】
この結果、グルコースセンサ２０３のフォトダイオードには、センサ部材５３に到達したグルコースの量に応じた強度の光が入射し、入射した光の強度に応じた信号が出力される。そして、グルコースセンサ２０３のフォトダイオードから出力される信号に基づいて、制御・解析部２０４によりグルコース抽出量が算出される。制御・解析部２０４は、得られたグルコース抽出量を、電源部２０２が直流電流を印加した時間（すなわち、約１８０秒間）で割ることによって、グルコース抽出速度Ｊを算出する。
【００３９】
また、血糖値測定装置１００においては、ステップＳ５において、グルコースの抽出のための直流電流の印加を停止した後、約１０秒間待機する。すなわち、直流電流を印加した直後ではメッシュシート５２の電極５４近傍にＮａ＋などのイオンが局在している。そのため、約１０秒間待機することにより、Ｎａ＋などのイオンが拡散してメッシュシート５２内で均一化した状態にする。
【００４０】
次に、血糖値測定装置１００においては、ステップＳ６において、電源部２０２は皮膚５００に約０±３０μＡの交流電流（約５００Ｈｚ）を印加する。この時、電圧計２０５による測定値（抽出部位５０１のインピーダンス）が制御・解析部２０４に入力される。
【００４１】
そして、血糖値測定装置１００においては、ステップＳ７において、ステップＳ６において得た電圧計２０５による測定値（抽出部位５０１のインピーダンス）に基づいて抽出部位５０１のコンダクタンスが算出される。すなわち、電圧計２０５による測定値は、抽出部位５０１の降下電圧と部位５０２の降下電圧の和に近似することができる。また、交流電流の周波数が高い（約１００Ｈｚ以上）場合には、抽出部位５０１のインピーダンスと比較して、部位５０２のインピーダンスが小さくなるため、電圧計２０５による測定値を抽出部位５０１の降下電圧に近似することができる。制御・解析部２０４は、この抽出部位５０１のインピーダンスの逆数を抽出部位５０１のコンダクタンスｋとして算出する。
【００４２】
次に、血糖値測定装置１００においては、ステップＳ８において、グルコース濃度（血糖値）を算出する。すなわち、血糖値Ｃ、グルコース抽出速度Ｊ、抽出部位５０１の面積Ｓおよびグルコースの皮膚５００（抽出部位５０１）に対する透過率Ｐの間には、以下の式（１）が成り立つ。
【００４３】
Ｊ＝Ｓ×Ｃ×Ｐ  ・・・（１）
したがって、血糖値Ｃは、以下の式（２）のように表される。
【００４４】
Ｃ＝Ｊ／（Ｓ×Ｐ）  ・・・（２）
ここで、グルコース透過率Ｐと上記ステップＳ６において算出された抽出部位５０１のコンダクタンスｋには、所定の関係式が成り立つことが既に実験的に求められており公知である（特開２００６−６８４９２号公報）。この関係式に基づいて、グルコース透過率Ｐが算出される。
【００４５】
また、グルコース抽出速度Ｊは、上記ステップＳ４において得られており、抽出部位５０１の面積Ｓはマスキングテープ５５の接触孔５５ａの面積（約７ｍｍ２）であることから、上記式（２）に基づいて、血糖値Ｃが算出される。また、算出された血糖値は、表示部７に表示される。以上のようにして、第１実施形態による血糖値測定装置１００による血糖値の分析が行われる。
【００４６】
（媒体供給部材）
次に、本発明の媒体供給部材の一実施形態を図面に基づいて説明する。
【００４７】
（従来の媒体供給部材）
まず、従来の媒体供給部材の実施形態、及び純粋がメッシュシートに安定して供給されない場合がある理由を、図面を用いて説明する。
【００４８】
図１３は、従来の媒体供給部材の一実施形態を示す斜視図である。図１４、図１５、及び図１６は、従来の媒体供給部材による、抽出カートリッジのメッシュシートへの、純水の供給を説明するための斜視図である。
【００４９】
従来の媒体供給部材３００は、図１３に示すように、シート状のスポンジ３０１が、可撓性を有するシート状の基材３０２に、保持されたものである。基材３０２は、ＰＥＴ（ポリエチレンテレフタレート）と、アルミ箔と、ポリエチレンとをこの順番に積層した３層構造を有している。スポンジは、約１０ｍｍの長さ、約１０ｍｍの幅、および、約５００μｍの厚みを有する。また、スポンジ３０１は、抽出カートリッジ５０のメッシュシート５２に供給するための純水を、所定量（約１５０μｌ）保持している。さらに、スポンジ３０１は、基材３０２のポリエチレン層側に熱溶着により強固に固定されている。なお、純水は、１８．３ＭΩ・ｃｍの電気抵抗率（比抵抗）を有しており、実質的に絶縁体（非導電性物質）である。
【００５０】
次に、従来の媒体供給部材３００により、抽出カートリッジ５０のメッシュシート５２に純水を供給する方法を説明する。まず、抽出カートリッジ５０と媒体供給部材３００を重ね合わせる。この際、図１４の矢印Ａに示されるように、抽出カートリッジ５０の接触孔５５ａ（マスキングテープ５５）を有する面と、媒体供給部材３００のスポンジ３０１を有する面が重なるようにする。
【００５１】
図１５は、図１４に示される抽出カートリッジ５０と媒体供給部材３００を、重ね合わせた後の状態を示す斜視図である。この際、図１５に示すように、抽出カートリッジ５０の接触孔５５ａと対向する領域には、スポンジ３０１が存在している。即ち、スポンジ３０１は、抽出カートリッジ５０の接触孔５５ａを介して、メッシュシート５２と接触した状態となる。
【００５２】
図１５に示される状態で、媒体供給部材３００の、スポンジ３０１が接着している面とは反対側の基材３０２の面を、抽出カートリッジ側に押圧する。この押圧により、スポンジ３０１が収縮し、スポンジ３０１に保持されていた純水が流出する。この流出した純水は、抽出カートリッジ５０の接触孔５５ａを介して、メッシュシート５２に吸収される。結果として、抽出カートリッジ５０のメッシュシート５２に純水が供給されることになる。
【００５３】
ここで、従来の媒体供給部材３００による、抽出カートリッジ５０のメッシュシート５２への純水の供給において、メッシュシート５２に十分量の純水が供給されない場合がある理由を、図１６を用いて説明する。
【００５４】
図１６Ａは、純水供給前の、媒体供給部材３００のスポンジ３０１と抽出カートリッジ５０のメッシュシート５２の状態を、模式的に示す断面図である。図１６Ｂは、純水供給中の、媒体供給部材３００のスポンジ３０１と抽出カートリッジ５０のメッシュシート５２の状態を、模式的に示す断面図である。図１６Ｃは、純水供給後の、媒体供給部材３００のスポンジ３０１と抽出カートリッジ５０のメッシュシート５２の状態を、模式的に示す断面図である。
【００５５】
図１６Ａは、従来技術における、媒体供給部材３００からメッシュシート５２への、純水供給が開始される直前の状態を示した模式図である。純水は、基材３０２に接合されたスポンジ３０１に保持されている。スポンジ３０１とメッシュシート５２は、接触孔５５ａを介して互いに接触した状態となっている。
【００５６】
図１６Ｂは、純水供給中の状態を示した模式図である。上述したように、媒体供給部材３００の、スポンジ３０１が接着している面とは反対側の基材３０２の面を、抽出カートリッジ側、即ち、図中の矢印Ａの方向に押圧する。この押圧により、媒体供給部材３００のスポンジ３０１が収縮する。この収縮に伴い、スポンジ３０１に保持されていた純水が、スポンジ３０１から流出する。この流出した純水が、接触孔５５ａを介してメッシュシート５２に供給される。尚、接触孔５５ａを介してメッシュシート５２に供給される純水の流れを、矢印Ｂで示した。
【００５７】
図１６Ｃは、純水供給が終了した後、即ち押圧をやめた後の状態を示した模式図である。収縮していた媒体供給部材３００のスポンジ３０１は、押圧をやめることにより、基の状態に戻る。この際、メッシュシート５２に供給された純水の一部が、接触孔５５ａを介してスポンジ３０１へ、再吸収されることがある。尚、接触孔５５ａを介して再吸収される純水の流れを、矢印Ｃで示した。
【００５８】
このように、従来のシート状のスポンジ３０１では、抽出カートリッジ５０のメッシュシート５２に供給された純水を、純水供給後に再吸収してしまうことがあった。このため、十分な量の純水が、メッシュシート５２に供給されない場合があった。
【００５９】
（本発明の媒体供給部材における第１の実施形態）
次に、本発明の媒体供給部材の一実施形態を図面に基づいて説明する。
【００６０】
図１７は、本発明の媒体供給部材３１０の一実施形態を示す斜視図である。図１８及び図１９は、本発明の媒体供給部材３１０による、抽出カートリッジ５０のメッシュシート５２への、純水の供給方法を説明するための斜視図である。
【００６１】
本実施形態の媒体供給部材３１０は、図１７に示すように、従来の媒体供給部材３００のシート状のスポンジ３０１のほぼ中央に、接触孔５５ａ（長さ１ｍｍ、幅７ｍｍ）より大きい開口、より具体的には、長さ４ｍｍ、幅８ｍｍのスポンジ開口３１１ａを有したスポンジ３１１を備えている。それ以外は、上述した従来の媒体供給部材３００と同様の構成である。
【００６２】
次に、本実施形態の媒体供給部材３１０により、抽出カートリッジ５０のメッシュシート５２に純水を供給する方法を図１８及び図１９を用いて説明する。まず、抽出カートリッジ５０と媒体供給部材３０１を接触させる。従来の媒体供給部材と同様、図１８の矢印Ａに示されるように、抽出カートリッジ５０の接触孔５５ａを有する面と、媒体供給部材３１０のスポンジ３１１を有する面が、互いに接触するように、抽出カートリッジ５０と媒体供給部材３１０を重ね合せる。この際、抽出カートリッジ５０の接触孔５５ａと対向する領域に、スポンジ３１１のスポンジ開口３１１ａが対応するように重ね合せる。
【００６３】
図１９は、本実施形態の媒体供給部材３１０と抽出カートリッジ５０を、重ね合わせた後の斜視図である。図１９で示されるように、上述のように、抽出カートリッジ５０の接触孔５５ａと対向する領域には、スポンジ３１１のスポンジ開口３１１ａが存在する。即ち、従来の媒体供給部材３００のスポンジ３０１とは異なり、本実施形態の媒体供給部材３１０のスポンジ３１１は、接触孔５５ａから露出しているメッシュシート５２とは接触していない。
【００６４】
ここで、本実施形態の媒体供給部材３１０による、抽出カートリッジ５０のメッシュシート５２への純水の供給において、従来の媒体供給部材３００と異なり、メッシュシート５２に十分量の純水が安定して供給される理由を、図２０を用いて説明する。
【００６５】
上述したように、本実施形態の媒体供給部材３１０は、スポンジ開口３１１ａを有するスポンジ３１１を備えること以外は、従来の媒体供給部材３００と同様の構成を有している。
【００６６】
図２０Ａは、本実施形態における媒体供給部材３１０から、抽出カートリッジ５０のメッシュシート５２へ、純水の供給が開始される前の状態を示した模式図である。純水は、基材３０１に接合されたスポンジ３１１に保持されている。上述のように、スポンジ３１１のスポンジ開口３１１ａは、接触孔５５ａと対向する領域に位置している。従って、従来の媒体供給部材３００のスポンジ３０１と異なり、本実施形態のスポンジ３１１とメッシュシート５２はスポンジ開口３１１ａの存在により、接触孔５５ａを介して互いに接触することはない。
【００６７】
図２０Ｂは、純水供給中の状態を示した模式図である。従来の媒体供給部材３００と同様、基材３０２を図中の矢印Ａの方向に押圧する。即ち、媒体供給部材３１０の、スポンジ３１１が接着している面とは反対側の基材３０２の面を、押圧する。この押圧により、媒体供給部材３１０のスポンジ３１１が収縮する。この収縮に伴い、スポンジ３１１に保持されていた純水が、接触孔５５ａを介してメッシュシート５２に供給される。尚、接触孔５５ａを介してメッシュシート５２に供給される純水の流れを、矢印Ｂで示した。
【００６８】
図２０Ｃは、純水供給が終了した後、即ち押圧をやめた後の状態を示した模式図である。収縮していた媒体供給部材３１０のスポンジ３１１は、押圧をやめることにより、基の状態に戻る。上述のように、スポンジ３１１とメッシュシート５２は接触していない。従って、メッシュシート５２に供給された純水が、スポンジ３１１により再吸収されることはない。
【００６９】
このように、本実施形態のスポンジ開口３１１ａを有するスポンジ３１１は、純水供給においてメッシュシート５２と接触しない。このため、本実施形態のスポンジ３１１は、押圧をやめることで、抽出カートリッジ５０のメッシュシート５２に供給された純水を再吸収することはない。従って、十分な量の純水をメッシュシート５２に安定して供給することができる。
【００７０】
（本発明の媒体供給部材における第２の実施形態）
次に、本発明の媒体供給部材における、別の一実施形態を図面に基づいて説明する。
【００７１】
図２１は、本実施形態の媒体供給部材３２０を示す斜視図である。図２２は、図２１中のＩ−Ｉ線に沿った、本実施形態の媒体供給部材３２０の断面図である。
【００７２】
本実施形態の媒体供給部材３２０は、図２１及び図２２に示すように、媒体供給孔３２１ａを有する被覆部材３２１を備えている。被覆部材３２１の媒体供給孔３２１ａは、スポンジ３１１のスポンジ開口３１１ａに対向する領域に位置している。それ以外の構成は、媒体供給部材３１０と同様である。
【００７３】
被覆部材３２１の周辺部は、基材３０２と接着されている。この構成によれば、基材３０２と被覆部材３２１により、スポンジ３１１を収容する収容部が形成される。従って、スポンジ３１１に保持されている純水は、媒体供給孔３２１ａのみを介して前記収容部から外部に流出される。このため、抽出カートリッジ５０のメッシュシート５２への純水供給の際、スポンジ３１１からの純粋は、媒体供給孔３２１ａのみを介してメッシュシート５２に供給される。
【００７４】
媒体供給部材３２０を使用して、抽出カートリッジ５０のメッシュシート５２に純水を供給する場合、上述の媒体供給部材３１０と同様に、媒体供給部材３２０と抽出カートリッジ５０を、重ね合わせる。その際、抽出カートリッジ５０の接触孔５５ａと対向する領域に、媒体供給孔３２１ａが来るように重ね合わせる。純水供給の際、スポンジ３１１からの純粋は、媒体供給孔３２１ａのみから供給される。よって、純水は媒体供給孔３２１ａ及び接触孔５５ａを介してメッシュシート５２に供給される。このため、媒体供給部材３２０を用いれば、効率よく純水をメッシュシート５２に供給することができる。また、抽出カートリッジ５０への余分な純水の付着を低減することができる。
【００７５】
（抽出カートリッジセット）
本発明の抽出カートリッジセットの一実施形態である、抽出カートリッジ４００を、図面に基づいて説明する。
【００７６】
図２３は、抽出カートリッジセット４００の斜視図である。図２４は、図２３中のＩ−Ｉ線に沿った、抽出カートリッジセット４００の断面図である。
【００７７】
この抽出カートリッジセット４００は、従来のスポンジの代わりに開口を有するスポンジ３１１を備える以外は、特開２００６−２５５３３２号公報に開示されている抽出カートリッジセットと同様の構成を有する。
【００７８】
抽出カートリッジセット４００は、血糖値測定装置１００に装着される未使用の抽出カートリッジ５０のメッシュシート５２やセンサ部材５３（図５及び図６参照）等を乾燥した状態で保持可能である。また、血糖値測定装置１００に装着する際には、抽出カートリッジ５０のメッシュシート５２へのスポンジ３１１からの純水供給が可能なように構成されている。
【００７９】
この抽出カートリッジセット４００は、図２３及び図２４に示すように、抽出カートリッジ５０と、純水を吸収保持しているスポンジ３１１と、基材４０１とを備えている。
【００８０】
基材４０１は、上述の基材３０２と同じく、可撓性を有するシート状の素材からなる。また、基材４０１は、スポンジ３１１の他に、抽出カートリッジ５０を保持している。ここで、基材４０１とスポンジ３１１は、接着剤により強固に固定されている。基材４０１と抽出カートリッジ５０は、熱溶着により剥離可能に接合されている。更に、基材４０１は、スポンジ３１１と抽出カートリッジ５０を接触しないように隔離する、隔離部４０１ａを形成している。スポンジ３１１と抽出カートリッジ５０の接触孔５５ａを有する面は、隔離部４０１ａを介して対抗するように配置されている。また、基材４０１のスポンジ３１１が保持されている面と、基材４０１の隔離部４０１ａを形成する面を、スポンジ３１１の周辺で剥離可能に接合することにより、スポンジ３１１を収容する、スポンジ収容部４０２を形成している。
【００８１】
また、隔離部４０１ａは、摘み部４０１ｂを矢印Ａの方向に引くことにより、取り除かれ、スポンジ３１１と抽出カートリッジ５０の接触孔５５ａを有する面が接触可能となる。即ち、使用者は、抽出カートリッジ本体５１に設けられている把持部５１ａを把持し、摘み部４０２ｂを矢印Ａの方向に引いていく。これにより、まず抽出カートリッジ５０のセンサ部材５３を有する面から基材４０１が剥離される。次に、隔離部４０１ａが、抽出カートリッジ５０の接触孔５５ａを有する面及びスポンジ収容部４０２のスポンジ３１１を保持する面から剥離される。結果として、対向して配置されていた、スポンジ３１１と抽出カートリッジ５０の接触孔５５ａを有する面が、接触可能な状態となる。次に、スポンジ３１１と抽出カートリッジ５０の接触孔５５ａを有する面を接触させ、基材４０１のスポンジ３１１が接合されている面の反対側を押圧することで、スポンジ３１１に保持されていた純水が、抽出カートリッジ５０のメッシュシート５２に供給されることになる。
【００８２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８３】
たとえば、上記実施形態では、第１媒体保持部材として、ナイロン製の網目構造を有するメッシュシートを用いる例を示したが、本発明はこれに限らず、本発明の液体保持部材としてナイロン以外の紙および樹脂などの絶縁材料により形成されたメッシュシートを用いてもよい。また、本発明の液体保持部材として、レーザなどを用いて孔を空けることにより形成された多孔質構造のシート状部材を用いてもよい。
【００８４】
また、上記実施形態では、第２媒体保持部材として、スポンジを用いる例を示したが、押圧により保持されている媒体を流出可能な材料であれば、特に制限されるものではない。例えば、脱脂綿等の不織布、紙、濾紙、およびゲルなどを用いてもよい。
【００８５】
上記実施形態では、第１媒体保持部材の接触孔として、長さ１ｍｍ、幅７ｍｍの開口を例示したが、第２媒体保持部材の開口と同じ又は小さいものであれば、特に制限されるものではない。即ち、第２媒体保持部材の開口の大きさや形状に応じて、適宜変更が可能である。
【００８６】
また、上記実施形態では、第２媒体保持部材の開口として、長さ４ｍｍ、幅８ｍｍの開口を例示したが、媒体供給の際に、抽出カートリッジのメッシュシートと第２媒体保持部材の接触を防止できるものであれば、特に制限されるものではない。即ち、接触孔の大きさや形状に応じて、適宜変更が可能である。
【００８７】
また、上記実施形態では、隔離部として、第２媒体供給部材を保持した基材を用いる例について示したが、第１媒体保持部材と第２媒体供給部材を隔離できれば、特に制限されるものではない。例えば、別途に隔離部となる材料を設けても良い。この場合、分離部材として可撓性を有さない板状の部材などを用いることもできる。
【００８８】
また、上記実施形態では、本発明を、生体からグルコースを抽出して血糖値を算出する血糖値測定装置に適用する例について説明したが、本発明はこれに限らず、生体からグルコース以外の他の分析物を抽出する分析物抽出装置に本発明を適用してもよい。本発明を適用可能な分析物抽出装置が抽出する分析物としては、たとえば、生化学成分や被験者に投与された薬剤などが挙げられる。生化学成分としては、生化学成分の一種であるたんぱく質の、アルブミン、グロブリンおよび酵素などが挙げられる。また、たんぱく質以外の生化学成分として、クレアチニン、クレアチン、尿酸、アミノ酸、フルクトース、ガラクトース、ペントース、グリコーゲン、乳酸、ピルビン酸およびケトン体などが挙げられる。また、薬剤としては、ジギタリス製剤、テオフィリン、不整脈用剤、抗てんかん剤、アミノ酸糖体抗生物質、グリコペプチド系抗生物質、抗血栓剤および免疫抑制剤などが挙げられる。
【００８９】
以下、実施例を挙げて本発明を詳細に説明するが、本発明はこれらに限定されるものではない。
【実施例】
【００９０】
（媒体供給部材のスポンジ形状による純水供給量への影響）
従来の媒体供給部材、及び上述した第２の実施形態の媒体供給部材による、抽出カートリッジのメッシュシートへの純水の供給量を測定した。従来の媒体供給部材の結果を表１に示した。また、第２の実施形態の媒体供給部材の結果を表２に示した。
【００９１】
ここで、従来の媒体供給部材のスポンジは、長さ１０ｍｍ、幅１０ｍｍ、厚み５００μｍである。一方、第２実施形態の媒体供給部材のスポンジは、従来の媒体供給部材のスポンジの中央部に、長さ４ｍｍ、幅８ｍｍの開口を有したものである。また、媒体供給孔は、長さ２ｍｍ、幅７ｍｍである。尚、抽出カートリッジの接触孔は、長さ１ｍｍ、幅７ｍｍである。
【００９２】
【表１】
2008298648.tif 000003
【００９３】
【表２】
2008298648.tif 000004
【００９４】
表１及び表２から明らかなように、第２実施形態の媒体供給部材は、従来の媒体供給部材よりも、再現性のＣＶ値が小さく、より安定した純水の供給が行えることが示された。また、従来の媒体供給部材のスポンジの形状では、メッシュシートへの純水の供給量が３μＬ未満となる場合が、８回の測定のうち５回確認された。それに対し、第２実施形態の媒体供給部材のスポンジの形状では、３４回の測定を行ったが、全て３μＬ以上の純水の供給が認められた。
【図面の簡単な説明】
【００９５】
【図１】血糖値測定装置１００の斜視図である。
【図２】抽出カートリッジ５０が装着された、血糖値測定装置１００の斜視図である。
【図３】抽出カートリッジ５０が未装着の血糖値測定装置１００を、被験者の腕に装着した状態を示した斜視図である。
【図４】血糖測定装置１００の構成を示すブロック図である。
【図５】抽出カートリッジ５０を接触孔５５ａ側から見た平面図である。
【図６】抽出カートリッジ５０をセンサ部材５３側から見た平面図である。
【図７】剥離可能な保護部材５６を備える抽出カートリッジ５０の、保護部材５６を剥離する前の斜視図である。
【図８】剥離可能な保護部材５６を備える抽出カートリッジ５０の、保護部材５６を一部剥離した状態の斜視図である。
【図９】皮膚透過促進処理として被験者の皮膚に微細な抽出孔を形成する際に用いる穿刺具７００を示した斜視図である。
【図１０】図９に示した穿刺具７００に取り付けられる微細針チップ８００を示す斜視図である。
【図１１】図９に示した穿刺具７００により微細孔が形成された皮膚（抽出部位）の状態を示した断面図である。
【図１２】血糖値測定装置１００の分析動作を説明するためのフローチャートである。
【図１３】従来の媒体供給部材３００を示す斜視図である。
【図１４】媒体供給部材３００による、抽出カートリッジ５０のメッシュシート５２への、純水の供給方法を説明するための斜視図である。
【図１５】媒体供給部材３００による、抽出カートリッジ５０のメッシュシート５２への、純水の供給方法を説明するための斜視図である。
【図１６】純水供給における、媒体供給部材３００と抽出カートリッジ５０の状態を、模式的に示す断面図である。
【図１７】媒体供給部材３１０を示す斜視図である。
【図１８】媒体供給部材３１０による、抽出カートリッジ５０のメッシュシート５２への、純水の供給方法を説明するための斜視図である。
【図１９】媒体供給部材３１０による、抽出カートリッジ５０のメッシュシート５２への、純水の供給方法を説明するための斜視図である。
【図２０】純水供給における、媒体供給部材３１０と抽出カートリッジ５０の状態を、模式的に示す断面図である。
【図２１】媒体供給部材３２０を示す斜視図である。
【図２２】図２１中のＩ−Ｉ線に沿った、媒体供給部材３２０の断面図である。
【図２３】抽出カートリッジセット４００の斜視図である。
【図２４】図２３中のＩ−Ｉ線に沿った、抽出カートリッジセット４００の断面図である。
【符号の説明】
【００９６】
５０  抽出カートリッジ
５１  カートリッジ本体
５２  メッシュシート
５３  センサ部材
５４  電極
５５  マスキングテープ
５５ａ  接触孔
５６  保護部材
５６ａ  開孔
５７  メッシュシート収容部
１００  血糖値測定装置
１０１  分析ユニット
１０２  装置本体
１０３  支持部材
１０４  装着部材
１０５  取付部
１０６  係合部
１０７  突出部
１０８  端子部
２０１  乾燥電極
２０２  電源部
２０３  グルコースセンサ
２０４  制御・解析部
２０５  電圧計
２０６  入力部
３００  従来の媒体供給部材
３０１  スポンジ
３０２  基材
３１０  媒体供給部材（第１の実施形態）
３１１  スポンジ
３１１ａ  スポンジ開口
３２０  媒体供給部材（第２の実施形態）
３２１  被覆部材
３２１ａ  媒体供給孔
４００  抽出カートリッジセット
４０１  基材
４０１ａ  隔離部
４０１ｂ  摘み部
４０２  スポンジ収容部
５００  皮膚
５０１  抽出部位
５０１ａ  抽出孔
７００  穿刺具
７１０  ボタン部
８００  微細針チップ
８１０  微細針
【図１】
2008298648.tif 000005
【図２】
2008298648.tif 000006
【図３】
2008298648.tif 000007
【図４】
2008298648.tif 000008
【図５】
2008298648.tif 000009
【図６】
2008298648.tif 000010
【図７】
2008298648.tif 000011
【図８】
2008298648.tif 000012
【図９】
2008298648.tif 000013
【図１０】
2008298648.tif 000014
【図１１】
2008298648.tif 000015
【図１２】
2008298648.tif 000016
【図１３】
2008298648.tif 000017
【図１４】
2008298648.tif 000018
【図１５】
2008298648.tif 000019
【図１６】
2008298648.tif 000020
【図１７】
2008298648.tif 000021
【図１８】
2008298648.tif 000022
【図１９】
2008298648.tif 000023
【図２０】
2008298648.tif 000024
【図２１】
2008298648.tif 000025
【図２２】
2008298648.tif 000026
【図２３】
2008298648.tif 000027
【図２４】
2008298648.tif 000028